(57)【特許請求の範囲】
【請求項１】
一面に脱着可能な剥離性粘着剤の塗布面を有する気胞粒マットを用いて宅配便として運送される立方体又は直方体の荷物を梱包する方法であって、
長方形に裁断された気胞粒マットを、剥離性粘着剤の塗布面を上向きにして床上に敷き、その長手方向の中央部分の上面に荷物を置き、気胞粒マットの長手方向の両端部分を持ち上げ、少なくとも荷物の底面と正面及び背面の三面に対し、それぞれの面から気胞粒マットの端縁が両側方に張り出すようにして気胞粒マットの塗布面を張り付け、これだけで荷物を梱包することを特徴とする宅配便として運送される荷物を梱包する方法。
【請求項２】
荷物の底面と正面及び背面とともに荷物の上面を含めた四面に対し、気胞粒マットの剥離性粘着剤の塗布面を張り付けることを特徴とする請求項１に記載の宅配便として運送される荷物を梱包する方法。
【請求項３】
一面に脱着可能な剥離性粘着剤の塗布面を有する気胞粒マットを用いて宅配便として運送される立方体又は直方体の荷物を梱包する方法であって、
長方形に裁断された１枚目の気胞粒マットを、剥離性粘着剤の塗布面を上向きにして床上に敷き、その長手方向の中央部分の上面に荷物を置き、気胞粒マットの長手方向の両端部分を持ち上げ、荷物の底面と正面及び背面の三面に対し、それぞれの面から気胞粒マットの端縁が両側方に張り出すようにして１枚目の気胞粒マットの塗布面を張り付け、
同じく長方形に裁断された２枚目の気胞粒マットを、これの塗布面を下向きにして荷物の上に置き、底面と正面及び背面を除く荷物の残る三面に対し、それぞれの面から気胞粒マットの端縁が両側方に張り出すようにして２枚目の気胞粒マットの塗布面を張り付け、これだけで荷物を梱包することを特徴とする宅配便として運送される荷物を梱包する方法。
【発明の詳細な説明】
【０００１】
【発明の属する技術分野】
本発明は、宅配便として運送される荷物を梱包する方法に関する。
【０００２】
【従来の技術】
荷物の運送に際し、宅配便として宅配業者が客から預かった荷物は、運送中の破損から荷物を保護するために梱包される。本発明において、荷物とは、包装されていない荷物のほか、荷物の外装としての外箱をも含めて云うものとする。
【０００３】
一般に荷物を、運搬時、保管時に外部から受ける衝撃から保護するには、荷物の梱包に緩衝性のシートが用いられ、シートで荷物を包装したのち、シートの端末を粘着テープで止めることによって梱包される。さらに、厳重な梱包を必要とするときや、大形の荷物では、荷物をシートで包装をした上、ロープ或いはテープを用いて結束される場合がある。
【０００４】
ところで、宅配便として運送される荷物の場合に、客から預かった荷物の梱包は、宅配業者によって梱包される場合も多い。ところが、宅配業者が扱う一日の荷物の数は、膨大な量にのぼるため、荷物の一個当たりの梱包処理を短時間で行なうことが要求されるが、従来、このような要求に応ずることができる梱包材料は考えられていなかった。荷物の梱包に際し、すくなくとも、梱包用のシートのほかに粘着テープや結束ロープなどを用いる事が梱包処理時間の短縮化を妨げる大きな原因である、といえる。
【０００５】
また、従来の梱包材料を用いる今一つの問題点は、梱包材料は、一度使用すれば、使用後は破棄され、特別の事情がない限り再使用されることはないという問題である。このため、引越しなどの後には、使用済みの梱包材料が大量の廃棄物として残るのである。梱包材料が大量に廃棄されれば、当然廃棄物の処理に多大のエネルギーが必要となる。廃棄物の処理は、大きな社会問題であり、ごみを減容することが大切である。
【０００６】
本発明の目的は、梱包作業が容易であり、しかも繰り返し使用可能な梱包材料による荷物の梱包方法を提供する事にある。
【０００７】
【課題を解決するための手段】
上記目的を解決するため、本発明による荷物の梱包方法においては、  一面に脱着可能な剥離性粘着剤の塗布面を有する気胞粒マットを用いて宅配便として運送される立方体又は直方体の荷物を梱包する方法であって、
長方形に裁断された気胞粒マットを、剥離性粘着剤の塗布面を上向きにして床上に敷き、その長手方向の中央部分の上面に荷物を置き、気胞粒マットの長手方向の両端部分を持ち上げ、少なくとも荷物の底面と正面及び背面の三面に対し、それぞれの面から気胞粒マットの端縁が両側方に張り出すようにして気胞粒マットの塗布面を張り付け、これだけで荷物を梱包するものである。
また、荷物の底面と正面及び背面とともに荷物の上面を含めた四面に対し、気胞粒マットの剥離性粘着剤の塗布面を張り付けるものである。
【０００９】
また、荷物の底面と正面及び背面とともに荷物の上面を含めて荷物の四面に跨って気胞粒マットを貼着するものである。
【００１０】
また、一面に脱着可能な剥離性粘着剤の塗布面を有する気胞粒マットを用いて宅配便として運送される立方体又は直方体の荷物を梱包する方法であって、
長方形に裁断された１枚目の気胞粒マットを、剥離性粘着剤の塗布面を上向きにして床上に敷き、その長手方向の中央部分の上面に荷物を置き、気胞粒マットの長手方向の両端部分を持ち上げ、荷物の底面と正面及び背面の三面に対し、それぞれの面から気胞粒マットの端縁が両側方に張り出すようにして１枚目の気胞粒マットの塗布面を張り付け、
同じく長方形に裁断された２枚目の気胞粒マットを、これの塗布面を下向きにして荷物の上に置き、底面と正面及び背面を除く荷物の残る三面に対し、それぞれの面から気胞粒マットの端縁が両側方に張り出すようにして２枚目の気胞粒マットの塗布面を張り付け、これだけで荷物を梱包するものである。
【００１３】
【発明の実施の形態】
以下に本発明による宅配便として運送される荷物を梱包する方法の実施形態を図によって説明する。図１において、本発明による梱包材料として気胞粒マット１を用い、その一面に剥離性粘着剤の塗布面２を形成したものである。気胞粒マット１は、荷物の表面にあてがってその荷物を梱包するものであり、剥離性粘着剤の塗布面２は、梱包すべき荷物に、脱着可能に貼着する面である。
【００１４】
本発明において、気胞粒マット１とは、図２に示すように、合成樹脂ラミネートシート（以下単にシートという）３の一方のシート面の縦横に整列させて多数の突出部４を突出形成し、各突出部４内に空気を閉じ込めてこれを気胞粒５としたものである。ポリエチレンのシート３の一面に多数の気胞粒５を形成した気胞粒マットは、商標名が、エアキャップ（宇部興産（株））、プチプチ（川上産業（株））、エアセルマット（（株）和泉産業）等として市販されている。
【００１５】
剥離性粘着剤の塗布面２は、気胞粒マット１の何れの面に形成されていてもよいが、シート３の平坦面に形成されていれば、荷物、特に物品が収納された外箱に対して、その外面にしっかりと貼り付けることができる。剥離性粘着剤としては、粘性を長期間保ち、しかも荷物から剥離する際の抵抗が大きくなく、また、剥離の際に、荷物の表面を傷つけないものであれば、特段限定されるものではないが、実験によればアクリル系粘着剤（二液型）が適している事が分った。剥離性粘着剤の塗布面２は、剥離性粘着剤の塗布、吹き付け処理などによって形成できる。
【００１６】
しかし、アクリル系粘着剤は、ポリエチレンシートに対しては、直接には剥離性接着剤が付着しにくいので、図２に示すように、ポリエチレンシートの平坦な側のシート面に、粘着剤保持シート６として和紙を張りつけ、和紙の外面にアクリル系粘着剤を吹き付けた。和紙は、通常の接着剤を用いてポリエチレンシートを貼り付けることができ、和紙の表面にはアクリル系粘着剤が容易に付着して剥離性粘着剤の塗布面２を形成できる。
【００１７】
本発明による気胞粒マットは、長方形に裁断されて荷物の梱包材料として使用するものである。梱包材料としての大きさは、収納すべき荷物の大きさによって自由に選定すべきであるが、何種類かの荷物の大きさに対応してその大きさは数種類に標準化、規格化することができる。
【００１８】
本発明による宅配便として運送される荷物を梱包する方法は、梱包すべき荷物が角型の六面体である場合に、その荷物表面の少なくとも三面に跨ってその表面を覆うものである。荷物の覆うべき六面体の荷物の三面とは、底面と正面と、背面である。荷物の少なくとも三面を覆うことによって、運搬時、保管時にうける事があるかもしれない衝撃から一応荷物を保護する事ができる。
【００１９】
図３は、梱包すべき荷物Ｐが、角型すなわち、立方体または直方体である場合に、その三面に跨って荷物の表面に貼着した例を示している。荷物Ｐの三面を覆う場合には、剥離性粘着剤の塗布面２を上向きにして気胞粒マット１を床上に敷き、その長手方向中央部分の上面に荷物Ｐを置き、気胞粒マット１の前後部分を持ち上げて荷物Ｐの正面と背面（或いは左右両側面）に跨って荷物Ｐの表面に気胞粒マット１を貼り付ける。
【００２０】
これによって、荷物Ｐの三面（底面Ｐ１、正面Ｐ２、背面Ｐ３）が気胞粒マット１の覆われ、運搬の際の着地時の衝撃、前後（或いは左右）方向に整列させたときの荷物同士の衝突から各荷物の破損を防止できる。
【００２１】
さらに、荷物Ｐの底面と正面及び背面から両側方に向けて気胞粒マット１の端縁を張り出させておく事によって、荷物Ｐの両側面のコーナ部分を有効に保護できる。さらに、荷物Ｐの上面をもあわせて保護しなければならないときには、図４に示すように、荷物Ｐの底面と正面と背面とともに上面を含めて荷物Ｐの四面に跨って荷物の表面に気胞粒マット１を貼着することができる。
【００２２】
以上、図３及び４に示すように、荷物の三面及び四面を、気胞粒マット１にて覆ったときには、荷物が気胞粒マット１にて覆われずに表面に露出する荷物の両側面または上面に「届け先」「依頼主」などを記載した伝票類を貼り付けることができる。
【００２３】
さらに、荷物Ｐの六面全体を保護する必要があるときには、図５に示すように、二枚の気胞粒マット１ａ、１ｂを用い、一枚目の気胞粒マット１ａを荷物Ｐの三面に跨ってその表面に貼着し、二枚目の気胞粒マット１ｂは、残る三面に跨って荷物Ｐの表面に貼着する。これによって、荷物Ｐの六面全体が気胞粒マット１に覆われて全面が梱包される。
【００２４】
本発明の宅配便として運送される荷物を梱包する方法によれば、気胞粒マット１を荷物の少なくとも三面に張り付けるだけで荷物の梱包を行なうことができ、運送後は、荷物から気胞粒マット１を引き剥がす事によって開梱することができ、剥離性粘着剤の塗布面の粘着力が低下するまでは荷物の梱包材料として繰り返し使用できる。
【００２５】
さらに、本発明による梱包材料の大きな特徴は、剥離性粘着剤の塗布面は、気胞粒マット１の全面に形成するので、たとえ、剥離性粘着剤の塗布面が、例えば足で踏みつけられて汚損し、一部領域が粘着性を失っても、その汚損個所が一部領域に止まる限り、荷物に貼り付ける上には特別問題にはならずに効力を発揮できる点である。剥離性粘着剤の塗布面の全面の粘着力が低下して初めて梱包材料として使用不能となる。適正に使用されている限り、少なくとも１０回の繰返し使用が可能である。
【００２６】
以上のように本発明は、気胞粒マットの一面に剥離性粘着剤の塗布面を設けたため、気胞粒マットを荷物の表面にあてがって貼り付けるだけで、荷物の梱包が可能となり、剥離性粘着剤を使用するため、荷物への脱着が可能であり、荷物の梱包、開梱が容易であり、運送の作業能率を著しく向上することができる。
【００２７】
しかも、気胞粒マットは、繰り返し使用が可能のため、引越しなどの都度、使用済みの梱包材料を大量に発生させることがなく、省資源化に著しい効果が得られる。
【図面の簡単な説明】
【図１】本発明の１実施形態を示す図である。
【図２】要部拡大図である。
【図３】本発明の第１の実施例を示す図である。
【図４】本発明の第２の実施例を示す図である。
【図５】本発明の第３の実施例を示す図である。
【符号の説明】
１  気胞粒マット
２  剥離性粘着剤の塗布面
３  ラミネートシート
４  突出部
５  気胞粒
６  粘着剤保持シート
【図１】
0003878800.tif 000002
【図２】
0003878800.tif 000003
【図３】
0003878800.tif 000004
【図４】
0003878800.tif 000005
【図５】
0003878800.tif 000006